(57)【要約】      （修正有）【課題】外反母趾等に罹患していないでない人は勿論、外反母趾等に罹患している人も痛みを感じることなく履ける外反母趾内反小趾対応可能靴を提供する。【解決手段】外反母趾内反小趾対応可能靴１０の中底１４と中敷１６の間には取り付け取り外し自由にシート状調節パッド２０が配設されている。外反母趾内反小趾対応可能靴１０の足入開口部２２の先端には切欠部が形成され、切欠部には切欠部用ゴムシートが配設されている。外反母趾内反小趾対応可能靴１０の甲皮部１８の前部内側１８Ｂには内側開口部が形成され、内側開口部には内側開口部用ゴムシートが配設されている。甲皮部１８の前部外側１８Ｃには外側開口部が形成され、外側開口部には外側開口部用ゴムシートが配設されている。また、甲皮部１８の前部１８Ａには調節ベルトが配設されている。【選択図】図１
0003171220.tif 000002
【実用新案登録請求の範囲】
【請求項１】
本底と、中底と、中敷と、甲皮部と、を備えてなる外反母趾対応可能靴であって、前記中底の先端部であって中底と中敷の間に取り付け取り外し自由に配設されたシート状調節パッドと、前記甲皮部の前部の少なくとも一側に形成された開口部と、この開口部に開口部に配設された開口部用弾性体と、前記甲皮部の前部に設けられて前記開口部と前記開口部用弾性体を覆うと共に甲皮部の前部の幅方向寸法を調節できる調節ベルトと、を有してなることを特徴とする外反母趾内反小趾対応可能靴。
【請求項２】
本底と、中底と、中敷と、甲皮部と、を備えてなる外反母趾対応可能靴であって、前記中底の先端部であって中底と中敷の間に取り付け取り外し自由に配設されたシート状調節パッドと、前記甲皮部の足入開口部の先端部に形成された切欠部と、この切欠部に配設された切欠部用弾性体と、前記甲皮部の前部の少なくとも一側に形成された開口部と、この開口部に開口部に配設された開口部用弾性体と、前記甲皮部の前部に設けられて前記切欠部と切欠部用弾性体と開口部と前記開口部用弾性体を覆うと共に甲皮部の前部の幅方向寸法を調節できる調節ベルトと、を有してなることを特徴とする外反母趾内反小趾対応可能靴。
【請求項３】
本底と、中底と、中敷と、甲皮部と、を備えてなる外反母趾対応可能靴であって、前記中底の先端部であって中底と中敷の間に取り付け取り外し自由に配設されたシート状調節パッドと、前記甲皮部の足入開口部の先端部に形成された切欠部と、この切欠部に配設された切欠部用弾性体と、前記甲皮部の前部内側に形成された内側開口部と、この内側開口部に配設された内側開口部用弾性体と、前記甲皮部の前部外側に形成された外側開口部と、この外側開口部に配設された外側開口部用弾性体と、前記甲皮部の前部に設けられて前記切欠部と切欠部用弾性体と内側開口部と内側開口部用弾性体と外側開口部と外側開口部用弾性体を覆うと共に甲皮部の前部の幅方向寸法を調節できる調節ベルトと、を有してなることを特徴とする外反母趾内反小趾対応可能靴。
【請求項４】
本底と、中底と、中敷と、甲皮部と、を備えてなる外反母趾対応可能靴であって、前記中底の先端部であって中底と中敷の間に取り付け取り外し自由に配設されたシート状調節パッドと、前記甲皮部の足入開口部の先端部に形成された切欠部と、この切欠部に配設された切欠部用弾性体と、前記甲皮部の前部内側に形成された内側開口部と、この内側開口部に配設された内側開口部用弾性体と、前記甲皮部の前部外側に形成された外側開口部と、この外側開口部に配設された外側開口部用弾性体と、前記甲皮部の前部に設けられて前記切欠部と切欠部用弾性体と内側開口部と内側開口部用弾性体と外側開口部と外側開口部用弾性体を覆うと共に甲皮部の前部の幅方向寸法を調節できる調節ベルトと、基端部が前記甲皮部の前部内側に固定されて前記調節ベルトを構成すると共に第１係止体が設けられた第１ベルト体と、基端部が前記甲皮部の前部外側に固定されて前記調節ベルトを構成すると共に第２係止体が設けられた第２ベルト体と、を有してなることを特徴とする外反母趾内反小趾対応可能靴。
【考案の詳細な説明】
【技術分野】
【０００１】
本考案は、靴に関し、詳しくは外反母趾や内反小趾に罹患していない人は勿論、外反母趾や内反小趾に罹患している人でも痛みを覚えることなく履くことができる外反母趾内反小趾対応可能靴に関する。
【背景技術】
【０００２】
足の親指が小指の方に曲がる外反母趾や足の小指が親指の方に曲がる内反小趾という足の病気がある。
この外反母趾に罹患すると足の親指の付け根周辺部が足の幅方向に突出し、内反小趾に罹患すると足の小指の付け根周辺部が足の幅方向に突出するため、靴を履いた場合に親指の付け根周辺部や小指の付け根周辺部が靴の甲皮部側面に強く圧迫されて強い痛みを覚える。
そこで、外反母趾に罹患するのを予防する履物が提案されているが（特許文献１）、外反母趾や内反小趾に罹患してしまった後に痛みを覚えずに履くことができる靴は提案されていない。
【先行技術文献】
【特許文献】
【０００３】
【特許文献１】特開２００４−２１５８７０公報
【考案の概要】
【考案が解決しようとする課題】
【０００４】
本考案は、上記事実に鑑みなされたものであり、外反母趾や内反小趾に罹患していない人は勿論、外反母趾や内反小趾に罹患してしまった人でも足に痛みを感じることなく履くことができる外反母趾内反小趾対応可能靴を提供するものである。
【課題を解決するための手段】
【０００５】
請求項１の考案は、本底と、中底と、中敷と、甲皮部と、を備えてなる外反母趾対応可能靴であって、前記中底の先端部であって中底と中敷の間に取り付け取り外し自由に配設されたシート状調節パッドと、前記甲皮部の前部の少なくとも一側に形成された開口部と、この開口部に開口部に配設された開口部用弾性体と、前記甲皮部の前部に設けられて前記開口部と前記開口部用弾性体を覆うと共に甲皮部の前部の幅方向寸法を調節できる調節ベルトと、を有してなることを特徴としている。
請求項２の考案は、本底と、中底と、中敷と、甲皮部と、を備えてなる外反母趾対応可能靴であって、前記中底の先端部であって中底と中敷の間に取り付け取り外し自由に配設されたシート状調節パッドと、前記甲皮部の足入開口部の先端部に形成された切欠部と、この切欠部に配設された切欠部用弾性体と、前記甲皮部の前部の少なくとも一側に形成された開口部と、この開口部に開口部に配設された開口部用弾性体と、前記甲皮部の前部に設けられて前記切欠部と切欠部用弾性体と開口部と前記開口部用弾性体を覆うと共に甲皮部の前部の幅方向寸法を調節できる調節ベルトと、を有してなることを特徴としている。
請求項３の考案は、本底と、中底と、中敷と、甲皮部と、を備えてなる外反母趾対応可能靴であって、前記中底の先端部であって中底と中敷の間に取り付け取り外し自由に配設されたシート状調節パッドと、前記甲皮部の足入開口部の先端部に形成された切欠部と、この切欠部に配設された切欠部用弾性体と、前記甲皮部の前部内側に形成された内側開口部と、この内側開口部に配設された内側開口部用弾性体と、前記甲皮部の前部外側に形成された外側開口部と、この外側開口部に配設された外側開口部用弾性体と、前記甲皮部の前部に設けられて前記切欠部と切欠部用弾性体と内側開口部と内側開口部用弾性体と外側開口部と外側開口部用弾性体を覆うと共に甲皮部の前部の幅方向寸法を調節できる調節ベルトと、を有してなることを特徴としている。
請求項４の考案は、本底と、中底と、中敷と、甲皮部と、を備えてなる外反母趾対応可能靴であって、前記中底の先端部であって中底と中敷の間に取り付け取り外し自由に配設されたシート状調節パッドと、前記甲皮部の足入開口部の先端部に形成された切欠部と、この切欠部に配設された切欠部用弾性体と、前記甲皮部の前部内側に形成された内側開口部と、この内側開口部に配設された内側開口部用弾性体と、前記甲皮部の前部外側に形成された外側開口部と、この外側開口部に配設された外側開口部用弾性体と、前記甲皮部の前部に設けられて前記切欠部と切欠部用弾性体と内側開口部と内側開口部用弾性体と外側開口部と外側開口部用弾性体を覆うと共に甲皮部の前部の幅方向寸法を調節できる調節ベルトと、基端部が前記甲皮部の前部内側に固定されて前記調節ベルトを構成すると共に第１係止体が設けられた第１ベルト体と、基端部が前記甲皮部の前部外側に固定されて前記調節ベルトを構成すると共に第２係止体が設けられた第２ベルト体と、を有してなることを特徴としている。
【考案の効果】
【０００６】
本考案の外反母趾内反小趾対応可能靴は、外反母趾や内反小趾に罹患している人は勿論のこと外反母趾又は内反小趾の一方に罹患している人でも痛みを覚えることなく履くことができるという優れた効果を有する。
また、本考案の外反母趾内反小趾対応可能靴は、調節ベルトが外反母趾や内反小趾の対応部を覆うので外観品質が低下するのを防止することができるという優れた効果を有する。
また、本考案の外反母趾内反小趾対応可能靴は、調節ベルトが外反母趾や内反小趾の対応部を覆い外観品質が低下しないので外反母趾や内反小趾に罹患していない人も履くことができるという優れた効果を有する。
【図面の簡単な説明】
【０００７】
【図１】第１実施例の外反母趾内反小趾対応可能靴のシート状パッドを取り付けたり取り外したりする場合の斜視図である。
【図２】第１実施例の外反母趾内反小趾対応可能靴の調節ベルトを解除した状態の全体斜視図である。
【図３】第１実施例の外反母趾内反小趾対応可能靴の調節ベルトを解除した状態を内側から見た一部斜視図である。
【図４】第１実施例の外反母趾内反小趾対応可能靴の調節ベルトを解除した状態を外側から見た一部斜視図である。
【図５】第１実施例の外反母趾内反小趾対応可能靴の調節ベルトを係止した状態の斜視図である。
【図６】第２実施例の外反母趾内反小趾対応可能靴の調節ベルトを解除した状態の全体斜視図である。
【考案を実施するための形態】
【０００８】
考案を実施するために最良の形態の例として以下のような実施例を示す。
【実施例１】
【０００９】
図１〜図５には本考案に係る外反母趾内反小趾対応可能靴の第１実施例が示されている。なお、実施例では外反母趾内反小趾対応可能靴を婦人靴に適用した場合を例にして説明する。
図１に示されるように、外反母趾内反小趾対応可能靴１０は本底１２と、本底１２の上面に載置される中底１４と、中底１４の上に設けられる中敷１６と、甲皮部１８とを備えている。この中敷１６の前部１６Ａは捲ることにより持ち上げることができるようになっている。
前記中底１４の前部と中敷１６の前部１６Ａとの間にはシート状調節パッド２０が取り付け取り外し自由に配設されている。
従って、前記中敷１６の前部１６Ａを持ち上げることにより前記シート状調節パッド２０は取り付け取り外し自由になっている。また、この実施例では前記シート状調節パッド２０の肉厚寸法は２ｍｍに設定されている。従って、前記シート状調節パッド２０を取り外すとシート状調節パッド２０のスペースが空くので外反母趾内反小趾対応可能靴１０の甲皮部１８の前部１８Ａの幅寸法が少し幅広になるのと同じ効果を外反母趾内反小趾対応可能靴１０を履いた者に与えることができるようになっている。なお、前記シート状調節パッド２０が取り付けられていても、あるいは取り外されていても外反母趾内反小趾対応可能靴１０を履いた場合に違和感は感じないようになっている。
図２に示されるように、前記甲皮部１８には外反母趾内反小趾対応可能靴１０の前後方向に向かって足入開口部２２が開口形成されている。この足入開口部２２の先端には平面視Ｕ字状の切欠部２４が形成されている。この切欠部２４には切欠部用弾性体としての切欠部用ゴムシート２６が切欠部２４を塞ぐように配設されている。
前記切欠部２４に切欠部用ゴムシート２６を取り付けることにより、切欠部２４が外反母趾内反小趾対応可能靴１０の幅方向（図２矢印Ｗ方向）に伸縮するので甲皮部１８の前部１８Ａの幅方向寸法を少し調整することができる。
図３に示されるように、前記甲皮部１８の前部内側１８Ｂであって外反母趾内反小趾対応可能靴１０を履いた場合に足の親指の付け根周辺部に対応する部分には内側開口部３０が形成されている。この内側開口部３０には内側開口部用弾性体としての内側開口部用ゴムシート３２が内側開口部３０を塞ぐように配設されている。
図４に示されるように、前記甲皮部１８の前部外側１８Ｃであって外反母趾内反小趾対応可能靴１０を履いた場合に足の小指の付け根周辺部に対応する部分には外側開口部３４が形成されている。この外側開口部３４にも外側開口部用弾性体としての外側開口部用ゴムシート３６が外側開口部３４を塞ぐように配設されている。
なお、前記切欠部用ゴムシート２６、内側開口部用ゴムシート３２、外側開口部用ゴムシート３６は同一のゴム素材で形成されている。
図１及び図２に示されるように、前記甲皮部１８の前部１８Ａには甲皮部１８の前部１８Ａを締め付けることができる調節ベルト４０が配設されている。この調節ベルト４０は第１ベルト体４２と第２ベルト体４４とから構成されている。
図３に示されるように、この第１ベルト体４２の基端部４２Ａは前記甲皮部１８の前部内側１８Ｂに適宜固定手段により取り付けられている。前記第１ベルト体４２の内側面には第１係止体としてのマジックテープ（登録商標）４６Ａが設けられている。
図４に示されるように、前記第２ベルト体４４の基端部４４Ａは前記甲皮部１８の前部外側１８Ｃに適宜固定手段により取り付けられている。前記第２ベルト体４４の外側面には第２係止体としてのマジックテープ（登録商標）４６Ｂが設けられている。
従って、図５に示されるように前記第１ベルト体４２と第２ベルト体４４を重ね合わせ
ると前記切欠部２４、切欠部用ゴムシート２６、内側開口部３０、内側開口部用ゴムシート３２、外側開口部３４、外側開口部用ゴムシート３６は調節ベルト４０によって覆われるので、前記切欠部２４、切欠部用ゴムシート２６、内側開口部３０、内側開口部用ゴムシート３２、外側開口部３４、外側開口部用ゴムシート３６を設けても外反母趾内反小趾対応可能靴１０の外観品質が低下することはない。
また、前記第１ベルト体４２の外側面にはガラスで形成されたデコレーション体４８が取り付けられているので、外反母趾内反小趾対応可能靴１０のファッション性をより一層高めている。
【００１０】
次に、第１実施例の外反母趾内反小趾対応可能靴１０の作用について説明する。
外反母趾内反小趾に罹患している人が外反母趾内反小趾対応可能靴１０を履く場合は、図２に示されるように予め第１ベルト体４２と第２ベルト体４４の係止を解除しておく。
そして、足を足入開口部２２に入れて足の前部が甲皮部１８の前部１８Ａ内に入り始めると足の親指の付け根周辺部と小指の付け根周辺部は甲皮部１８と当接するが前記切欠部用ゴムシート２６が伸縮するので円滑に足を入れることができる。
そして、外反母趾内反小趾対応可能靴１０を履いた状態になると、足の親指の付け根周辺部は内側開口部３０に対応し、小指の付け根周辺部は外側開口部３４に対応する。この内側開口部３０には内側開口部用ゴムシート３２が配設され、外側開口部３４には外側開口部用ゴムシート３６が配設されているので、親指の付け根周辺部は甲皮部１８の前部内側１８Ｂと、小指の付け根周辺部は甲皮部１８の前部外側１８Ｃに直接当接しない。
従って、外反母趾内反小趾対応可能靴１０を履いて歩いても親指の付け根周辺部と小指の付け根周辺部は甲皮部１８の側部と当接することはないので足に痛みを感じない。
最後に第１ベルト体４２のマジックテープ（登録商標）４６Ａと第２ベルト体４４のマジックテープ（登録商標）４６Ｂを係止させて足と外反母趾内反小趾対応可能靴１０をフットさせる。
また、第１ベルト体４２と第２ベルト体４４を係止させることにより前記前記切欠部２４、切欠部用ゴムシート２６、内側開口部３０、内側開口部用ゴムシート３２、外側開口部３４、外側開口部用ゴムシート３６は調節ベルト４０によって覆い隠されるので、図５に示すように外反母趾内反小趾対応可能靴１０を見ても前記前記切欠部２４、切欠部用ゴムシート２６、内側開口部３０、内側開口部用ゴムシート３２、外側開口部３４、外側開口部用ゴムシート３６の存在は分からないので、外反母趾内反小趾対応可能靴１０の外観品質が低下することはない。
なお、外反母趾内反小趾対応可能靴１０の前部の幅をさらに少し広くしたい場合は、前記中敷１６の前部１６Ａを捲って持ち上げてシート状調節パッド２０を取り出せばシート状調節パッド２０のスペースが開くので外反母趾内反小趾対応可能靴１０の前部は広くなる。この結果、外反母趾内反小趾対応可能靴１０の前部の幅を少し広くすることができる。
【００１１】
図６には本考案に係る外反母趾内反小趾対応可能靴の第２実施例が示されている。なお、第１実施例の外反母趾内反小趾対応可能靴１０と同一の構成は同一の符号を用いてその説明は省略する。
図６に示されるように、本考案の外反母趾内反小趾対応可能靴５０には第１実施例の外反母趾内反小趾対応可能靴１０と異なり足入開口部２２の先端に切欠部２４は形成されていない。
従って、外反母趾内反小趾対応可能靴１０に比べて生産コストを抑えることができる。
なお、他の作用、効果は第１実施例の外反母趾内反小趾対応可能靴１０と同一であるので、その説明は省略する。
【００１２】
なお、実施例では外反母趾及び内反小趾の両方に罹患している人が履く場合を例にして示したが、外反母趾だけ罹患している人あるいは内反小趾だけ罹患している人あるいは外反母趾や内反小趾に罹患していない人が履いてもよいことは勿論である。
また、前記切欠部２４、内側開口部３０、外側開口部３４の大きさや形状は実施例に示した大きさ、形状に限定されるものでないことは勿論である。
なお、実施例では切欠部用弾性体として切欠部用ゴムシート２６を、内側開口部用弾性体として内側開口部用ゴムシート３２を、外側開口部用弾性体として外側開口部用ゴムシート３６を、示したが切欠部用弾性体、内側開口部用弾性体、外側開口部用弾性体はゴムシートに限定されるものでないことは勿論である。
また、実施例で示したで調節ベルト４０には係止体としてマジックテープ（登録商標）を設けたが、係止体はこれに限定されるものでなくボタンやバックル等でもよいことは勿論である。
【産業上の利用可能性】
【００１３】
本考案の外反母趾内反小趾対応可能靴は、婦人靴の他に紳士靴、子供靴等の靴に使用することができる。
【符号の説明】
【００１４】
１０    外反母趾内反小趾対応可能靴
１２    本底
１４    中底
１６    中敷
１６Ａ  前部
１８    甲皮部
２０    シート状調節パッド
２２    足入開口部
２４    切欠部
２６    切欠部用ゴムシート
３０    内側開口部
３２    内側開口部用ゴムシート
３４    外側開口部
３６    外側開口部用ゴムシート
４０    調節ベルト
４２    第１ベルト体
４４    第２ベルト体
【図１】
0003171220.tif 000003
【図２】
0003171220.tif 000004
【図３】
0003171220.tif 000005
【図４】
0003171220.tif 000006
【図５】
0003171220.tif 000007
【図６】
0003171220.tif 000008